(57)【要約】【課題】本発明は、事前の準備を要さず、かつ簡易な操作で患者を雨等から保護することが可能な雨除け付き担架を提供することを目的とする。【解決手段】上述の課題を解決するために、本発明は、寝台に架載する人体を覆う雨除け付き担架であって、寝台を部分的又は全体的に覆うことが可能な矩形の防水シートと、前記寝台の縁近傍に装着されるシート収納手段とを備え、非使用時には前記防水シートの幅方向縁部が前記シート収納手段に収納可能であり、使用時には引出して寝台上を覆うことが可能であることを特徴とする。【選択図】図１
2018134328.tif 000002
【特許請求の範囲】
【請求項１】
寝台に架載する人体を覆う雨除け付き担架であって、
寝台を部分的又は全体的に覆うことが可能な矩形の防水シートと、
前記寝台の縁近傍に装着されるシート収納手段とを備え、
非使用時には前記防水シートの幅方向縁部が前記シート収納手段に収納可能であり、使用時には引き出して寝台上を覆うことが可能である、雨除け付き担架。
【請求項２】
前記シート収納手段は、前記防水シートを巻き取り又は引き出す巻取機構を有する、請求項１に記載の雨除け担架。
【請求項３】
前記シート収納手段は、寝台の幅方向側縁部近傍に配設され、使用時に人体を幅方向に亘って覆う請求項１又は２に記載の雨除け担架。
【請求項４】
前記シート収納手段は、寝台の足側縁部近傍に配設され、使用時に人体を体軸方向に足側から覆う請求項１又は２に記載の雨除け担架。
【請求項５】
前記シート収納手段は、寝台の頭側縁部近傍に配設され、使用時に人体を体軸方向に頭側から覆う請求項１又は２に記載の雨除け担架。
【請求項６】
前記防水シートのシート収納手段と反対側の縁部近傍には、前記防水シートを前記反対側の縁部に可逆的に取り付けることが可能な機構を備える、請求項１〜５のいずれか１項に記載の雨除け担架。
【請求項７】
少なくとも仰臥した人体の頭部の高さ以上の長さを有する一対の支持棒が、前記寝台の幅方向側の両縁部近傍に、側縁部の長手方向に沿って配置され、前記支持棒は、一端が前記寝台の幅方向側の両縁部近傍に固定され、前記固定された一端以外は可動であり、使用時には、地面から寝台方向に起立させる、ことを特徴とする、請求項１〜６に記載の雨除け付き担架
【請求項８】
寝台に架載する人体を覆う雨除け付き担架であって、
寝台を部分的又は全体的に覆うことが可能な矩形の防水シートを備え、
前記防水シートの端辺が前記寝台の縁部に取り付けられて、前記防水シートが前記寝台上に重ねて配置されており、
使用時には、人体を前記寝台と前記防水シートとの間に配置することが可能である、雨除け付き担架。
【発明の詳細な説明】
【技術分野】
【０００１】
本発明は、雨除け用シートを備えた雨除け付き担架に関する。
【背景技術】
【０００２】
災害時、緊急救命時等において患者を病院等の治療可能な場所や安全な場所へ運搬する場合や、遺体を運搬する場合には、簡易な運搬手段として担架又はストレッチャーが用いられる。これらの患者や遺体（以下「患者」と称する。）の運搬は、天候が良好とは限らず、雨、雪などの荒天の時にも行う必要がある。しかし、従来の患者の運搬では、救急隊員等の運搬者側の負担を考慮し、雨天下でも患者への雨よけ等を行わず、迅速な運搬を優先する場合もあった。また、荒天時において雨等から保護するシートを患者に被せて運搬を行うためには、運搬者とは別の人員を擁する必要があった。
【０００３】
一方で、患者が雨天下に置かれる場合は、介護者等が傘で患者を雨から保護する等の対応をしなければ、雨天下にさらされ患者への負担が大きかった。患者やその家族等にとって治療及び治療のための迅速な運搬が最優先ではあるものの、たとえ短時間・少量の雨天下であっても雨等から患者を保護するニーズ（潜在的ニーズも含む）があった。
【０００４】
これに対し、特許文献１に示されるストレッチャーに装着できる収納型雨よけ具は、収納型雨具をストレッチャーに取り付けておき、雨天時等にはシートを取り出して患者を上から覆って雨からの保護を行うものである。しかしながら、特許文献１の雨具は、担架又はストレッチャーに別途取り付けるものであることから、救急車等に雨具を準備しておく必要があり、緊急時には雨具の準備や取付け忘れや、雨具の準備時間が無い場合もありうる。
【０００５】
そのため、担架又はストレッチャーの使用時に、雨天下において緊急時や短時間・少量の雨量の場合も含めて、運搬者が簡易な準備及び手順で患者を雨等から保護することができるものが望まれていた。
【先行技術文献】
【特許文献】
【０００６】
【特許文献１】特開２００４−４１６５１号公報
【発明の概要】
【発明が解決しようとする課題】
【０００７】
上述の事情を鑑みて、本発明は、別途の雨具を事前に準備することなく、簡易に使用可能な雨具を備える雨具付き担架を提供することを目的とする。ここで担架とは、脚を備えない担架、足を備える担架（ストレッチャー）及びその他の寝台（ベッド）部分を備える医療運搬用具の概念を含めるものとする。本明細書において、これらの区別を要する場合は、並列の記載又は説明の記載をすることとする。
【課題を解決するための手段】
【０００８】
上述の課題を解決するため、本発明は、寝台に架載する人体を覆う雨除け付き担架であって、寝台を部分的又は全体的に覆うことが可能な矩形の防水シートと、前記寝台の縁近傍に装着されるシート収納手段とを備え、非使用時には前記防水シートの幅方向縁部が前記シート収納手段に収納可能であり、使用時には引き出して寝台上を覆うことが可能である、ことを特徴とする。
ここで、寝台の縁近傍とは、寝台の縁（周囲）の他、手すりや寝台（ベッド等）を直接又は二次的に支える部材等の、寝台と連結若しくは略当接する位置にある部材のうち、寝台の周囲（縁）近傍の領域をいう。
【０００９】
上記の構成の雨除け付き担架は、予め防水シートが、シート収納手段に収納されて寝台に設けられている。従って、雨天時等の患者の防水が必要となるときにおいては、別途雨具を準備することなく、シート収納手段から防水シートを取り出し、患者を覆って、雨等から保護することが可能となる。また、シート収納手段が寝台の縁近傍に設けられることにより、非使用時には収納され、患者の運搬や治療の妨げとならず、使用時は防水シートを簡易に引き出すことが可能である。
【００１０】
前記シート収納手段は、前記防水シートを巻き取り又は引き出す巻取機構を有することが望ましい。
【００１１】
上記の構成の雨除け付き担架によれば、現場でシート収納手段に収納された防水シートを、巻き取り機構により容易に引き出すことが可能となり、また、容易にシート収納手段に収納された状態に戻すことが可能となる。
【００１２】
前記シート収納手段は、寝台の幅方向側縁部近傍に配設され、使用時に人体を幅方向に亘って覆ってもよい。
【００１３】
上記の構成の雨除け付き担架によれば、防水シートを引き出す距離が短く、容易な操作で人体を雨等から保護することができる。
【００１４】
前記シート収納手段は、寝台の足側縁部近傍に配設され、使用時に人体を体軸方向に足側から覆ってもよい。
【００１５】
上記の構成の雨除け付き担架によれば、治療のために人体の頭部のみを露出させ、他の部分は雨等から保護することが可能となる。
【００１６】
前記シート収納手段は、寝台の頭側縁部近傍に配設され、使用時に人体を体軸方向に頭側から覆ってもよい。
【００１７】
上記の構成の雨除け付き担架によれば、治療のために人体の足部のみを露出させ、他の部分は雨等から保護することが可能となる。
【００１８】
前記防水シートのシート収納手段と反対側の縁部近傍には、前記防水シートを前記反対側の縁部に可逆的に取り付けることが可能な機構を備えても良い。
【００１９】
上記の構成の雨除け付き担架によれば、縁近傍から引き出した防水シートで患者を覆った後、反対側の縁近傍への取り付けることが可能となり、運搬中の振動等によって防水シートがずれてしまうことを防止できる。これにより、外部からの影響によらず、安定して患者を雨から保護することができる。
【００２０】
少なくとも仰臥した人体の頭部の高さ以上の長さを有する一対の支持棒が、前記寝台の幅方向側の両縁部近傍に、側縁部の長手方向に沿って配置され、前記支持棒は、一端が前記寝台の幅方向側の両縁部近傍に固定され、前記固定された一端以外は可動であり、使用時には、地面から寝台方向に起立させる、ことを特徴とすることが好ましい。
【００２１】
上記の構成の雨除け付き担架によれば、雨除けの使用時には、人体を覆う防水シートが、支持棒によって患者との距離をあけて人体を覆うこととなり、顔面に防水シートが接触せず、患者にとって快適な環境での雨からの保護が可能となる。
【００２２】
また、本発明は、寝台に架載する人体を覆う雨除け付き担架であって、寝台を部分的又は全体的に覆うことが可能な矩形の防水シートを備え、前記防水シートの端辺が前記寝台の縁部に取り付けられて、前記防水シートが前記寝台上に重ねて配置されており、使用時には、人体を前記寝台と前記防水シートとの間に配置することが可能である、ことを特徴とする。
【００２３】
上記の構成の雨除け付き担架によれば、雨天等時以外は通常の担架として用いることができ、雨天等時には、寝台の表面に設けられる防水シートをめくり、患者を寝台に寝かせた後で、防水シートを患者に被せるという簡易な操作で患者の雨等からの保護が達成される。
【発明の効果】
【００２４】
本発明によれば、別途部材の準備・スペース確保を要さず、担架の運搬者にとって、簡易な操作での患者の雨等からの保護が可能となり、かつ患者負担の少ない雨除け付き担架が提供される。
【図面の簡単な説明】
【００２５】
【図１】本発明の担架の実施形態の（ａ）右から見た側面図、（ｂ）左から見た側面図、（ｃ）正面図（足側から見た側面図）、（ｄ）（ｃ）のシート収納手段使用時の図
【図２】本発明の担架の他の実施形態の（ａ）右から見た側面図、（ｂ）正面図（足側から見た側面図）
【図３】（ａ）シート収納手段の実施形態の斜視図、（ｂ）シート収納手段の他の実施形態の斜視図、
【図４】（ａ）シート収納手段取り付け機構の実施形態の模式図、（ｂ）シート収納手段取り付け機構の他の実施形態の模式図
【図５】（ａ）シート収納手段の配設機構の実施形態の模式図、（ｂ）〜（ｄ）シート収納手段の配設機構の他の実施形態の模式図
【図６】（ａ）本発明の担架の他の実施形態の右から見た側面図、（ｂ）（ａ）のシート収納手段使用時の図、（ｃ）シート収納手段使用時に用いる支持棒の他の実施形態の模式図
【図７】本発明の担架の他の実施形態の正面図（足側から見た側面図）
【図８】（ａ）一般的な担架の例の斜視図、（ｂ）一般的な担架の他の例の右から見た側面図
【発明を実施するための形態】
【００２６】
以下に、本発明及び一般的な担架の実施形態の代表例を、図を参照しながら詳細に説明する。なお、本発明の担架は図示されるものに限られず、また図示及び説明の内容を搬送可能な寝台の範囲で改変したものをも含むことはいうまでもない。また各図は、容易な理解のために、必要に応じて寸法、比又は数を誇張して表示している場合もある。
【００２７】
説明の便宜上、まず、汎用の担架について説明した後、これ対して特徴を有する本発明の実施例を説明する。
図８（ａ）では、一般的な担架の一例として担架３１０の斜視図が示されている。担架３１０は、主に、台枠３１２と、台枠３１２上に配置される寝台３１４及び手すり３１６ａ、ｂと、台枠３１２の下部に配置される台支持部材３２０と、台支持部材３２０から下方に延びる支持脚３２２ａ、ｂと、支持脚３２２ａ、ｂに接続される前輪３２６、後輪３２８で構成される。
【００２８】
台枠３１２は、略矩形の枠及び図示しない枠内の補強部材によって略矩形を形成し、金属部材により構成される。寝台３１４は、台枠３１２の上面（紙面上方）に配置される、台枠３１２と略同一の略矩形状であり、布地又はポリエステルなどの可撓性を備える樹脂の袋状部材に綿等を詰めたクッション性を有するものや、布地のみものなど、患者を仰臥させることに適した素材が採用される。寝台３１４は、台枠３１２に載せて配置され、台枠３１２の長手方向側辺及び足側（紙面右方）側辺や、図示しない台枠３１２を亘る補強部材に取り付けられ固定される。寝台３１４は、頭側（紙面左方）の一部を、台枠３１２との連結部（図示せず）によって、図８（ａ）に示すように傾斜させることも可能である。
【００２９】
手すり３１６ａ、３１６ｂは、金属部材により構成される下に開放したコの字形状であり、両端部が、台枠３１２の長手方向の端辺の中央近傍に接続して、両端辺にそれぞれ配置され、手すり３１６ａのように、上方に起立して台枠３１２に取り付けられる。手すり３１６ａ、３１６ｂは、手動又は図示しないロック機構を解除することで、台枠３１２周りに軸回転し、台枠３１２の外側で下方に手すり３１６ｂのように垂下させることが可能である。
【００３０】
台枠３１２と手すり３１６ａ、ｂとの接続部近傍を起点として、寝台３１４の幅方向に亘って２つの固定ベルト３１８が配設される。固定ベルト３１８は、面ファスナー等の着脱機構を備えた帯状部材であり、可撓性の高いポリエステル樹脂等により構成される。
【００３１】
台支持部材３２０は、台枠３１２の下部に接続されて配置され、外周が台枠３１２と略同一の略矩形を形成する金属部材で構成される。台支持部材３２０は、台支持部材３２０の下方に接続される支持脚３２２と、前輪３２６と、後輪３２８とともに台枠３１２を支える。
【００３２】
支持脚３２２ａ、ｂは、それぞれ２つ並行な略棒状部材が、中央近傍でこれらと垂直な略棒状部材の端部と連結することで一対の支持脚として形成される。図８（ａ）に示すように、支持脚３２２ａは、頭側近傍において、一対の端部が台支持部材３２０の幅方向に対して並行に台支持部材３２０に接続され、支持脚３２２ｂは足側近傍において、同様に接続される。そして、支持脚３２２ａは、台枠３２０に対して傾きをとりつつ足側方向へと傾斜し、支持脚３２２ｂは、逆に頭側方向へと傾斜することで、支持脚ａとｂとがそれぞれの中央近傍で交差している。支持脚３２２ａ、ｂの下方の端部（他端）は、前輪３２６、後輪３２８に接続される。支持脚３２２ａとｂとの交差角度は脚調整具３２４の操作により調整され、寝台を昇降可能である。後輪３２８の上部には、後輪３２８の回転のストッパーが設けられる。また、図８（ａ）の例では、前輪３２６と後輪３２８との間に上方に開口したカゴ３３２が設けられている。
【００３３】
上述の構成により、図８（ａ）で示した担架の例では、寝台の頭部側が傾斜可能であり、手すりが可動式である。また、寝台の高さを調整でき、車輪による移動が可能である。
【００３４】
一般的な担架の他の例について図８（ｂ）を用いて、説明する。以下、担架において患者がうつ伏せで臥した際に、患者の頭部方向を頭部側（背面）、足方向を足側（正面）、右手方向を右、左手方向を左、患者の背中方向を上方、患者の胸方向を下方とする。図８（ｂ）は担架の一例の右側面図である。担架４１０は、略矩形の台枠４１２と、略矩形の台枠４１２の下部（紙面下方）に配設される台枠４１２未満の長手方向の長さを備える略矩形の台支持部材４２０と、台支持部材４２０の下方に配設される支持脚４２２ａ、ｂと、支持脚の下方に配設され地面４００に接する前輪４２６及び後輪４２８と、脚調整具４２４とで構成される。脚調整具４２４によって、図８（ｂ）の支持脚４２２ｂの角度θを調整し、台枠４１２と地面との距離を適宜調整することが可能である。実際の使用時には、図８（ａ）の担架のように、台枠４１２上に寝台を配設し、患者が寝台上に寝かせることが可能となる。紙面右側が患者の頭部側、紙面左側が患者の足側である。
【００３５】
上述の構成により、図８（ｂ）で示した担架の例では、寝台の高さを調整でき、車輪による移動が可能である。
【００３６】
次に、本発明の実施形態について説明する。なお、本発明は、少なくとも先述の一般的な担架の例（図８参照）の台支持部材３２０、４２０より下方の構成（支持脚３２２、４２２等）については任意に許容されるため、これらの構成については省略し、本発明の説明では、容易な理解のため、先述の例における台支持部材３２０、４２０から上方の構成に相当する構成（図８（ｂ）における破線領域）について説明する。
【００３７】
図１は、本発明の雨除け付き担架の実施形態を示す。図１（ａ）は右側図、（ｂ）は左側図、（ｃ）は正面図（足側図）、（ｄ）は雨除け使用時の正面図（足側図）である。図１（ａ）、（ｂ）、（ｃ）、（ｄ）において、担架１０は、台枠１２と、寝台１４と、手すり１６と、台支持部材２０と、枕３４と、シート収納手段１と、取り付け部３とで構成される。台枠１２は、一般例と同様に、外周が略矩形を形成し、金属部材により構成される。寝台１４は台枠１２上に配設され、寝台１４状の頭側近傍には枕３４が配設される。台枠１２の左右の側辺の中央近傍において、下方に開いたコの字形状の手すり１６が台枠１２に連結して配設される。台枠１２の下方には、図面に示さない支持脚に連結する台支持部材２０が配設される。これらの支持枠１２、寝台１４、手すり１６、台支持部材２０及び枕３４については、先述の一般例で示した構成又は一般に担架に用いられる構成と同様汎用のものが採用される。
【００３８】
台枠１２の右側辺近傍の下方かつ台支持部材２０の右側面近傍において、シート収納手段１が台枠１２に取り付けられる。本発明の担架のシート収納手段１を拡大した斜視図を図３（ａ）に示す。シート収納手段１は、台枠１２に沿って、台枠１２と略同一に延びる略円柱状であり、シート収納手段１の頭側及び足側の端部の中心部（軸芯５０の端部）と、台枠１２とが連結している。シート収納手段１は、軸芯５０に対して防水シート５２をロール状に多重に巻きつけて構成されており、円柱の表面の防水シート５２の端辺を手力等で引くことによって、シート収納手段１のロール状の防水シート５２が軸芯５０に対して容易に回転し、巻きつけた防水シート５２を外部へと引き出すことが可能となる。防水シート５２の素材としては、雨除けのため、撥水性又は防水性のナイロン、ポリエステル樹脂が採用される。引き出されたシート収納手段１の防水シート５２の端辺には、面ファスナー雄部５４（図３とともに後に説明する）が複数個設けられる。
【００３９】
図１（ｂ）、（ｃ）で示すように、台枠１２の左側辺の下部分の表面に長手方向に亘って、取り付け部３が配設される。取り付け部３は、面ファスナー雌部で構成される。図１では取り付け部３は台枠１２の長手方向に亘っているが、シート収納手段１の防水シート５２が備える面ファスナー雄部５４に対応して長手方向に間隔をあけて複数箇所に配設されてもよい。シート収納手段１の使用時には、図１（ｄ）で示すように、防水シート５２を引き出して寝台１４を覆うように被せて、防水シート５２の面ファスナーの雄部５４を取り付け部３（面ファスナー雌部）に当接し取り付ける。
【００４０】
図１では、右側にシート収納手段１、左側に取り付け部３を備える担架１０の実施例を示すが、シート収納手段１と取り付け部３とを左右逆に配設してもよい。
【００４１】
図２は、本発明の雨除け付き担架の他の実施形態を示す。図２（ａ）は右側図、（ｂ）は正面図（足側図）である。本実施例の担架１０は、先述の実施形態のシート収納手段１及び取り付け部３の配設場所を、台枠１２の足側及び頭側とした変化形である。シート収納手段１は台枠１２の下方に台枠１２に沿って取り付けられ、取り付け部３は台枠１２表面の下部に台枠１２に沿って配設される。
図２では、足側にシート収納手段１、頭側に取り付け部３を備える担架１０の実施例を示すが、シート収納手段１と取り付け部３とを足側・頭側を逆に配設してもよい。
【００４２】
図３は、本発明の雨除け付き担架のシート収納手段についての実施例を示す。図３（ａ）は先述したように本発明のシート収納手段１の実施例の斜視図である。軸芯５０の両端部が、図示しない台枠１２に連結し、シート収納手段１が台枠１２に取り付けられている。
【００４３】
図３（ｂ）はシート収納手段１の他の実施例であり、一面を略正方形とする略直方体の外側部材５８の内部に、図３（ａ）と同様のロール状の防水シート５２が配置されている。外側部材５８の上面の長辺側には、外側部材の５８の内部から防水シート５２を引き出すことが可能な隙間である取り出し口６０が長手方向に亘って設けられる。防水シート５２の引き出した端辺近傍は長手方向に亘って面ファスナー雄部５４が複数配設されている。また、巻き取り具６２が、外側部材５８の略正方形の側面の中央に設けられ、巻き取り具６２は外側部材５８を貫通して軸芯５０へと連結し、巻き取り具６２を軸周りに回転させることで、防水シート５２を外側部材５８から排出又は外側部材５８内への巻き取りを可能とする。図示しないが、外側部材５８の略矩形の側面の一つと、台枠１２とが連結されることにより、シート収納手段１が台枠１２に取り付けられている。なお、本実施形態の場合、図示しないが、取り付け３では、面ファスナー雄部５４に対応するように、台枠１２の長手方向に亘って面ファスナー雌部が配設される。
【００４４】
巻き取り具６２は、図３（ａ）のシート収納手段１にも採用されてもよく、本発明の雨除け付き担架のシート収納手段１において、その他一般にシート形状物巻きとりに用いられる機構を備えてもよい。
【００４５】
図４は、シート収納手段の取り付け機構についての実施例の模式図を示す。具体的には、シート収納手段１の防水シート５２の引き出した端辺に設けられる、取り付け部３との雄雌の取り付け機構の実施例である。
図４（ａ）は、鍵付きフック６４と、孔部材６６とが取り付けられている斜視図を示す。鍵付きフック６４は、鍵付きフック連結部６８と、固定爪７０と、可動爪７２とで構成され、図４（ａ）に示すように連結部６８と略Ｃ字形状の固定爪７０とが連結し、固定爪７０と可動爪７２とが連結している。可動爪７２は、負荷がない状態では図に４（ａ）示すように、爪の先端が固定爪の先端と略当接し、鍵付きフック６４は閉じた状態となる。可動爪に紙面右から左に負荷をかけると、可動爪７２は回転部７４を軸として紙面上時計回りに回転し、可動爪７２の先端と固定爪７０の先端とが離れ、鍵付きフック６４は開いた状態となる。
【００４６】
孔部材６６は、孔部材連結部７６と、孔部７８とが連結されて構成される。孔部７８は固定爪７０を通すことが可能な孔を備えた略トーラス形状である。孔部７８に、開いた状態の鍵付きフック６４の固定爪７０を通し、鍵付きフック６４を閉じた状態とすることで、鍵付きフック６４と孔部材６６とが取り付けられる。
【００４７】
鍵付きフック６４は、鍵付きフック連結部６８を介してシート収納手段１の防水シート５２の端辺に沿って間隔をあけて複数個設けられる。孔部材６６は、孔部材連結部７６を介して取り付け部３に沿って間隔をあけて複数個設けられる。
【００４８】
図４（ｂ）は、防水シート５２と取り付け部３との雄雌の取り付け機構の他の実施例である、鍵なしフック８０と棒部材８２とが取り付けられている斜視図を示す。鍵なしフック８０は、鍵なしフック連結部８４と爪８６とが連結して構成される。棒部材８２は、軸方向に延びる略円柱形状であり、爪８６を掛けることができる径を備える。爪８６を棒部材８２に掛けることにより、鍵なしフック８０と棒部材とが取り付けられる。
【００４９】
鍵なしフック８０は、鍵なしフック連結部８４を介してシート収納手段１の防水シート５２の端辺に沿って間隔をあけて複数個設けられる。棒部材８２は、取り付け部３に沿って長手方向に亘って取り付けられる。
【００５０】
なお、雄雌の取り付け機構として、鍵付きフック６４と棒部材８０とを採用してもよいし、鍵なしフック８０と孔部材６６とを採用してもよい。フックの形状や孔の形状は使用用途に合わせて変化させてもよい。また、図示はしないが、他の実施例として、リングスナップを採用しても良い。リングスナップの雄部を防水シート５２の端辺に沿って間隔をあけて複数個と、雌部を取り付け部３に沿って間隔をあけて複数個とを設け、雄部と雌部を嵌合することで、防水シート５２が取り付け部３に取り付けられる。その他、本発明においては汎用の取り付け機構を採用しうる。
【００５１】
図５（ａ）〜（ｄ）は本発明の雨除け付き担架において、シート収納手段１の担架１における配設の機構の実施例を示す。台枠が台支持部材から分離するタイプの担架については、防水シートを被覆したまま人体を運搬できるようシート収納手段１及び取り付け部３は台枠側に設けるのが好適である。
図５（ａ）は、正面図（足側図）である図１（ｃ）の破線領域の拡大図であり、台枠１２にシート収納手段１が取り付けられている。シート収納手段１は軸芯５０と防水シート５２と固定部８８とで構成される。軸芯５０は略円柱であり、台枠１２の長手方向（紙面奥方向）に亘って延びており、その軸周りを防水シート５２が多重に巻きついて台枠１２の長手方向に亘って略円柱を形成する。軸芯５０の両端部は固定部８８と連結し、固定部８８は台枠１２と台枠１２の短手側側面（足側及び頭側）で連結している。固定部８８は、台枠１２との当接箇所で端部が板状に展延された略円筒形状であり、連結方法は例えば鋲が採用される。その他、固定部８８は、板形状であり、連結方法として鋲又は溶接を採用してもよい。
【００５２】
図５（ｂ）、（ｃ）及び（ｄ）は、シート収納手段として図３（ｂ）を採用した場合の図５（ａ）の変形例（正面図（足側図））を示す。図５（ｂ）は直方体のシート収納手段１が、防水シート５２の取り出し口６０が右側方向下部に配置されて、台枠１２の下部に連結されている。連結方法は例えば鋲又は溶接が採用される。図５（ｃ）は、図５（ｂ）の配設機構に、担持材９０を加えたものである。担持材９０は上に開いたコの字形状の板状部材であり、両端部が台枠１２の短手側側面（足側及び頭側）と連結している。連結方法は例えば鋲又は溶接が採用される。担持材９０の下部の上面と台枠１２との間にシート収納手段１を配設する。
【００５３】
図５（ｄ）は、直方体のシート収納手段１を台枠１２と手すり１６との間に配設したものを示す。シート収納手段１の左側面と台枠１２とが連結し、上面と手すりとが連結している。連結方法は例えば鋲又は溶接が採用される。
【００５４】
本発明の雨除け付き担架の他の実施形態として、図６に示すような支持棒９２を備える担架を示す。図６（ａ）は、本発明の担架の右側図であり、図２（ａ）で示す担架１０と同様に足側にシート収納手段１と、頭側に取り付け部３を備える。支持棒９２は、長手方向に延びる棒形状であり、台枠１２の右側面の頭側に、台枠１２の長手方向に沿って配設される。図示しないが、台枠１２の左側面の頭側にも同様に対称に支持棒９２が配設される。支持棒９２は足側の一端に棒回転部９４を備え、棒回転部９４を介して台枠１２と連結している。支持棒９２は、棒回転部９４において、左右方向（紙面の手前・奥行方向）を軸として手力で回転させることが可能である。図６（ｂ）は、図６（ａ）において、一対の支持棒９２を回転させて上方に起立させ、シート収納手段１を使用した状態を示す。シート収納手段１から引き出された防水シート５２は、足側から頭側に向かって寝台１４を覆うように取り付け部３まで配置され、この際、上方に起立した支持棒９２の先端に当接し、枕３４近傍において寝台１４と防水シート５２との距離が支持棒９２の長さだけ保たれる。支持棒９２の長さは、臥した患者の顔面近傍から寝台１４までの距離よりも大きいものが採用される。
【００５５】
支持棒９２は、枕３４近傍で寝台１４と防水シート５２との距離を保てればよく、図６（ａ）、（ｂ）で示す以外にも、棒回転部９４が支持棒９２の頭側先端にあってもよい。また、支持棒９２は、寝台１４と防水シート５２との距離を、患者が臥した際に、患者の顔近傍に防水シート５２が当接しなければ、台枠１２の右又は左のいずれか一方の側面の頭側のみに配設されてもよい。また、台枠が台支持部材から分離するタイプの担架については、防水シートを被覆したまま人体を運搬できるよう支持棒９２は台枠側に設けるのが好適である。
【００５６】
図６（ｃ）に、支持棒９２の他の実施形態の側面図を示す。図６（ｃ）の支持棒９２は、棒回転部９４を軸として回転する本体が、鞘部９６ａ〜ｄ及び先端部９８で構成されている。鞘部９６ａ〜ｃは、棒回転部９４に向かって（紙面左方向に）手力で押圧することで、それぞれ鞘部９６ｂ〜ｄを内部に収納可能な鞘形状であり、鞘部９６ｂ〜ｄをそれぞれ収納すると、先端部９８が鞘部９６ａの右先端から突出する。先端部９８を引っ張ることで、鞘部９６ｂ〜ｄが引き出され、図６（ｃ）に示す状態となる。シート収納手段１の使用時、即ち支持棒９２の使用時には、鞘部９６ｂ〜ｄが露出した状態で図６（ｂ）に示すように、支持棒９２を上方に起立させる。
【００５７】
本発明の他の実施形態を、図７に示す。図７は、寝台１４が防水シート５２を備えた担架１０の正面図（足側図）である。寝台１４は、上面が防水シート５２で構成され、寝台１４の右側面の長手方向に亘って寝台１４と防水シート５２とが連結しており、その他の箇所では容易に離すことができる。雨時には、防水シート５２を寝台１４からめくり（離して）、患者を寝台１４上に寝かせ、患者を覆うように防水シート５２を配置する。雨時等以外では、防水シートを寝台１４からめくることなく（図７に示す状態で）防水シート５２上に患者を寝かせる。
【００５８】
図７では、寝台１４と防水シート５２との連結が、寝台１４の右側面の長手方向に亘ってされているものを示すが、連結は、寝台１４の左側面、足側側面又は頭側側面の長手方向に亘ってされてもよい。また、連結は、寝台１４の側面の長手方向全域ではなく、一部でもよい。
【００５９】
なお、本発明の雨除け付き担架において、防水シート５２は、全部又はシート収納手段１の使用時の患者の顔近傍の部分について、透明な素材で構成されるものも採用される。
【符号の説明】
【００６０】
１      シート収納手段
３      取り付け部
１０    担架
１２    台枠
１４    寝台
１６    手すり
２０    台支持部材
３４    枕
５０    軸芯
５２    防水シート
５４    面ファスナー雄部
５８    外側部材
６０    取り出し口
６２    巻き取り具
６４    鍵付きフック
６６    孔部材
６８    鍵付きフック連結部
７０    固定爪
７２    可動爪
７４    回転部
７６    穴部材連結部
７８    孔部
８０    鍵なしフック
８２    棒部材
８４    鍵なしフック連結部
８６    爪
８８    固定部
９０    担持材
９２    支持棒
９４    棒回転部
９６    鞘部
９８    先端部
【図１】
2018134328.tif 000003
【図２】
2018134328.tif 000004
【図３】
2018134328.tif 000005
【図４】
2018134328.tif 000006
【図５】
2018134328.tif 000007
【図６】
2018134328.tif 000008
【図７】
2018134328.tif 000009
【図８】
2018134328.tif 000010